(57)【特許請求の範囲】
【請求項１】
ロール状シートの芯となる紙管において、
紙管原紙からなる原紙層と、
粒状の消臭物質が混入された樹脂からなる、前記原紙層にラミネートされた消臭層と、
を有し、
前記消臭物質を前記樹脂１００ｇあたり３ｇ〜１００ｇ配合し、
当該紙管の内面及び外面が、前記消臭層であり、
当該紙管の内面の消臭層においては、前記消臭物質の平均粒径が、当該消臭層の理論上の平均厚みよりも大きく、
当該紙管の外面の消臭層においては、前記消臭物質の平均粒径が、当該消臭層の理論上の平均厚み以下であることを特徴とする紙管。
【請求項２】
請求項１に記載の紙管において、
前記ロール状シートは、ロール状トイレットペーパーであることを特徴とする紙管。
【請求項３】
請求項１又は２に記載の紙管において、
前記消臭物質は、クリスバール、天然ゼオライト、合成ゼオライト、活性白土、モレキュラーシーブ、シリカゲル、大谷石、酸化カルシウム、酸化マグネシウム、麦飯石、イオン交換樹脂、活性炭、珪藻土、活性アルミナ、ドーソナリトのうちの少なくとも一種類であることを特徴とする紙管。
【請求項４】
請求項１から３の何れか一項に記載の紙管において、
前記樹脂は、ポリ塩化ビニリデン、ポリ塩化ビニル、高密度ポリエチレン、低密度ポリエチレン、エチレン−酢酸ビニル共重合体、ポリプロピレン、直鎖状低密度ポリエチレン、ポリブタジエンのうちの少なくとも一種類であることを特徴とする紙管。
【請求項５】
請求項１から４の何れか一項に記載の紙管と、
前記紙管を芯として捲回されたシートと、を備えることを特徴とするロール状シート。
【発明の詳細な説明】
【技術分野】
【０００１】
本発明は、紙管及び当該紙管を使用したロール状シートに関する。
【背景技術】
【０００２】
従来、ロール状に捲回された、トイレットペーパーやキッチンペーパー、ラップフィルム、アルミフォイルなどのシートが知られている。これらのシートは、例えば、紙から形成された中空円筒形状の紙管を芯として捲回されている。
【０００３】
ところで、トイレ周りやキッチン周りなどでは消臭の要望が高い。そこで、例えば、芳香剤や消臭剤（脱臭剤）が塗布又は含浸された紙管が提案されている（例えば、特許文献１〜５参照）。
【先行技術文献】
【特許文献】
【０００４】
【特許文献１】特許第３９７８１９２号公報
【特許文献２】特開平１１−１９７０５４号公報
【特許文献３】特開昭６３−２８２４００号公報
【特許文献４】実開昭６２−１４２９９６号公報
【特許文献５】特開２００１−３２７４３０号公報
【発明の概要】
【発明が解決しようとする課題】
【０００５】
しかしながら、特許文献１〜５では、液状の芳香剤や消臭剤が塗布又は含浸されているため、芳香剤や消臭剤が発散しやすく、シート（トイレットペーパーやキッチンペーパーなど）の使用中から消臭効果を発揮できるものの、芳香剤や消臭剤が常時発散しているため、消臭効果が持続しないという問題がある。
【０００６】
本発明の課題は、消臭効果の持続性が高い消臭機能付き紙管及び当該紙管を使用したロール状シートを提供することにある。
【課題を解決するための手段】
【０００７】
上記課題を解決するために、請求項１に記載の発明は、
ロール状シートの芯となる紙管において、
紙管原紙からなる原紙層と、
粒状の消臭物質が混入された樹脂からなる、前記原紙層にラミネートされた消臭層と、
を有し、
前記消臭物質を前記樹脂１００ｇあたり３ｇ〜１００ｇ配合し、
当該紙管の内面及び外面が、前記消臭層であり、
当該紙管の内面の消臭層においては、前記消臭物質の平均粒径が、当該消臭層の理論上の平均厚みよりも大きく、
当該紙管の外面の消臭層においては、前記消臭物質の平均粒径が、当該消臭層の理論上の平均厚み以下であることを特徴とする。
【０００８】
請求項２に記載の発明は、
請求項１に記載の紙管において、
前記ロール状シートは、ロール状トイレットペーパーであることを特徴とする。
【０００９】
請求項３に記載の発明は、
請求項１又は２に記載の紙管において、
前記消臭物質は、クリスバール、天然ゼオライト、合成ゼオライト、活性白土、モレキュラーシーブ、シリカゲル、大谷石、酸化カルシウム、酸化マグネシウム、麦飯石、イオン交換樹脂、活性炭、珪藻土、活性アルミナ、ドーソナリトのうちの少なくとも一種類であることを特徴とする。
【００１０】
請求項４に記載の発明は、
請求項１から３の何れか一項に記載の紙管において、
前記樹脂は、ポリ塩化ビニリデン、ポリ塩化ビニル、高密度ポリエチレン、低密度ポリエチレン、エチレン−酢酸ビニル共重合体、ポリプロピレン、直鎖状低密度ポリエチレン、ポリブタジエンのうちの少なくとも一種類であることを特徴とする。
【００１１】
請求項５に記載の発明は、
ロール状シートにおいて、
請求項１から４の何れか一項に記載の紙管と、
前記紙管を芯として捲回されたシートと、を備えることを特徴とする。
【発明の効果】
【００１２】
本発明によれば、紙管は、紙管原紙からなる原紙層と、粒状の消臭物質が混入された樹脂からなる、原紙層にラミネートされた消臭層と、を有している。
すなわち、消臭物質が樹脂に混入されて消臭層に保持されているとともに、消臭物質が粒状（固体）である。したがって、消臭物質の離脱を抑えることができるとともに、消臭物質が発散することがないため、消臭効果の持続性が高い。
【図面の簡単な説明】
【００１３】
【図１】第１の実施の形態のロール状シートの斜視図である。
【図２】第１の実施の形態の紙管の斜視図（ａ）及び断面図（ｂ）である。
【図３】第１の実施の形態における、消臭物質の平均粒径と、消臭層の平均厚みと、の関係を説明するための図である。
【図４】第２の実施の形態のロール状シートの斜視図である。
【図５】第２の実施の形態の紙管の斜視図（ａ）及び断面図（ｂ）である。
【図６】第２の実施の形態における、消臭物質の平均粒径と、消臭層の平均厚みと、の関係を説明するための図である。
【図７】第３の実施の形態のロール状シートの斜視図である。
【図８】第３の実施の形態の紙管の斜視図（ａ）及び断面図（ｂ）である。
【発明を実施するための形態】
【００１４】
以下、図を参照して、本発明にかかる紙管及び当該紙管を使用したロール状シートの最良の形態を詳細に説明する。なお、発明の範囲は、図示例に限定されない。
【００１５】
［第１の実施の形態］
まず、第１の実施の形態における紙管３０及び紙管３０を使用したロール状シート１０について説明する。
【００１６】
＜ロール状シート＞
まず、ロール状シート１０の構成について説明する。
ロール状シート１０は、例えば、ロール状トイレットペーパーである。
ロール状シート１０は、例えば、図１に示すように、紙管３０と、紙管３０を芯として捲回されたシート２０と、などを備えて構成される。
【００１７】
シート２０は、例えば、トイレットペーパーである。
なお、シート２０は、紙管３０に捲回可能なシートであれば任意であり、例えば、キッチンペーパーやラップフィルム、アルミフォイルなどであっても良い。
【００１８】
＜紙管＞
紙管３０は、例えば、図１及び図２（ａ）に示すように、略中空円筒形状をなしている。
具体的には、紙管３０は、例えば、図２に示すように、紙管原紙からなる原紙層４０と、消臭物質５１を含む消臭層５０と、などを有している。
紙管３０においては、例えば、紙管３０の外側３２に原紙層４０が配置されるとともに、紙管３０の内面３１に消臭層５０が配置されるよう、消臭層５０が原紙層４０にラミネートされている。
【００１９】
原紙層４０は、例えば、２枚の紙管原紙を貼り合わせてなる層である。
なお、原紙層４０は、例えば、１枚の紙管原紙からなる層であっても良いし、３枚以上の紙管原紙を貼り合わせてなる層であっても良い。
【００２０】
消臭層５０は、例えば、消臭物質５１が混入された樹脂５２からなる層である。
消臭物質５１は、臭い成分を吸着することができる粒状の物質であれば任意であり、具体的には、例えば、クリスバール、天然ゼオライト、合成ゼオライト、活性白土、モレキュラーシーブ、シリカゲル、大谷石、酸化カルシウム、酸化マグネシウム、麦飯石、イオン交換樹脂、活性炭、珪藻土、活性アルミナ、ドーソナリト等の細多孔質で悪臭吸着性を有する無機質材料の微粉末などである。
【００２１】
樹脂５２は、消臭物質５１を混入可能な樹脂５２であるとともに、ラミネート加工可能な樹脂５２であれば任意であり、具体的には、例えば、ポリ塩化ビニリデン、ポリ塩化ビニル、高密度ポリエチレン、低密度ポリエチレン、エチレン−酢酸ビニル共重合体、ポリプロピレン、直鎖状低密度ポリエチレン、ポリブタジエン等、或いはこれらの材料中に緑茶等より抽出されたフラボノイド系化合物が混入されているものなどである。
なお、消臭層５０は、単層構造であっても良いし、樹脂５２の種類が異なる複数の層からなる多層構造であっても良い。
また、消臭層５０に含まれる消臭物質５１の種類は、一種類であっても良いし、複数種類であっても良い。
【００２２】
樹脂５２に配合する消臭物質５１の量は、樹脂５２に混入可能な量であれば任意であるが、混入しやすさや消臭効果などの観点から、１００ｇの樹脂５２に３ｇ〜１００ｇの消臭物質５１を配合するのが好ましい。
【００２３】
消臭層５０においては、例えば、図３に示すように、消臭物質５１の平均粒径（平均直径）Ｄが消臭層５０の平均厚みＴよりも大きくなるよう設定されている。
ここで、「平均粒径」とは、粉状または粒状である原料物質の各粒子の粒径を平均した値をいうが、全原料物質を母集団とする統計指標としての平均を意味することは勿論である。つまり、母集団（全原料物質）から適当なサンプル（各粒子）を抽出し、このサンプルの粒径を測定して算術平均した値を「平均粒径」とする。統計的手法により求める値であるから測定ごとに値が変動する可能性があることはいうまでもない。
また、消臭層５０の平均厚みＴは、原紙層４０にラミネート加工可能な厚みであれば任意であるが、ラミネート加工のしやすさや消臭効果などの観点から２０μｍ〜５００μｍが好ましい。
【００２４】
なお、図３は、消臭層５０の構造を模式的に示す図であり、実際の消臭層５０では、消臭物質５１の粒径や消臭層５０の厚みにばらつきがあり、また、消臭物質５１同士が重なる等、消臭物質５１の並びはランダムである。
【００２５】
ここで、消臭層５０の「理論上の平均厚み」と「実際の平均厚み」とを定義する。
「理論上の平均厚み」とは、消臭物質５１が配合された樹脂５２の密度から求めた計算値であり、例えば、消臭物質５１を含む樹脂５２の密度が０．９０ｇ／ｃｍ３であり、ラミネートされた消臭層５０の１ｍ２あたりの重量を１００ｇとすると、「理論上の平均厚み」は１１１μｍとなる。
「実際の平均厚み」とは、消臭層５０の凹凸も含めた厚みのことであり、例えば、紙管３０から消臭層５０をはがし、その消臭層５０の厚みをＪＩＳＰ８１１８等に準拠して測定することによって得た値である。
【００２６】
消臭層５０の平均厚みＴは、「理論上の平均厚み」であり、消臭層５０においては、「実際の平均厚み」が「理論上の平均厚み」の１．０〜１．５倍であるのが好ましい。
そして、消臭物質５１の平均粒径Ｄの上限は、「理論上の平均厚み」の１．５倍とするのが好ましい。なぜならば、消臭物質５１の平均粒径Ｄが「理論上の平均厚み」の１．５倍を越えると、消臭物質５１が消臭層５０から離脱しやすくなりすぎるためである。
【００２７】
消臭層５０を原紙層４０にラミネートする方法は、消臭層５０を原紙層４０に貼り合わせることができる方法であれば任意であり、具体的には、例えば、消臭物質５１が混入された樹脂５２を押出成形等することによって、消臭層５０のフィルムを製膜し、これを原紙層４０に貼り付ける方法や、押出成形等によりフィルム状に形成された樹脂５２上に消臭物質５１を散布等することによって、樹脂５２に消臭物質５１を混入させて、消臭層５０のフィルムを製膜し、これを原紙層４０に貼り付ける方法などが挙げられる。
【００２８】
以上説明した第１の実施の形態における紙管３０及び紙管３０を使用したロール状シート１０によれば、紙管３０は、紙管原紙からなる原紙層４０と、粒状の消臭物質５１が混入された樹脂５２からなる、原紙層４０にラミネートされた消臭層５０と、を有している。
すなわち、消臭物質５１が樹脂５２に混入されて消臭層５０に保持されているとともに、消臭物質５１が粒状（固体）である。したがって、消臭物質５１の離脱を抑えることができるとともに、消臭物質５１が発散することがないため、消臭効果の持続性が高い。
【００２９】
また、シート２０を使用している間は、トイレ周りやキッチン周りなどの消臭を行うことができるとともに、シート２０を使用し終わった後、紙管３０をゴミ箱等に捨てると、ゴミ箱等の中や周辺の消臭も行うことができる。
【００３０】
また、以上説明した第１の実施の形態における紙管３０及び紙管３０を使用したロール状シート１０によれば、消臭物質５１の平均粒径Ｄは、消臭層５０の平均厚みＴよりも大きく、紙管３０の内面３１が、消臭層５０である。
したがって、消臭物質５１の平均粒径Ｄが消臭層５０の平均厚みＴよりも大きく、消臭物質５１が消臭層５０の表面から露出しているため、シート２０の使用中から消臭効果を発揮することができる。
【００３１】
また、紙管３０の内面３１が消臭層５０であり、紙管３０にシート２０が捲回された状態でも消臭層５０が露出しているため、消臭層５０が外気と接触しやすく、臭い成分を効率よく消臭することができる。特に、紙管３０の内面３１はシート２０が捲回された状態でも露出している面であるため、紙管３０は、シート２０を使用している間も、シート２０を使用し終わった後も、効率のよい消臭を行うことができる。したがって、紙管３０は、例えば、トイレ周り等の、臭いが常に気になる場所で使用されるシート２０（トイレットペーパーなど）が捲回される紙管として使用するとより効果的である。
ここで、消臭物質５１の平均粒径Ｄが消臭層５０の平均厚みＴよりも大きく、消臭物質５１が消臭層５０の表面から露出しているため、消臭物質５１が消臭層の表面から露出していない場合と比較して消臭物質５１が紙管３０から離脱しやすい。しかしながら、紙管３０は、トイレ周り等で使用されるのが効果的であり、トイレ周り等での使用においては、消臭物質５１が紙管３０から離脱しやすくても使用上の問題は少ない。
無論、紙管３０は、トイレ周り等で使用される紙管として使用されるシート２０以外のシート（キッチンペーパーやラップフィルム、アルミフォイルなど）が捲回される紙管として使用しても良い。
【００３２】
［第２の実施の形態］
次に、第２の実施の形態における紙管３０Ａ及び紙管３０Ａを使用したロール状シート１０Ａについて説明する。
なお、第２の実施の形態の紙管３０Ａ及び紙管３０Ａを使用したロール状シート１０Ａにおいては、紙管３０Ａの外面３２が消臭層５０Ａである点や、消臭物質５１の平均粒径Ｄが消臭層５０Ａの平均厚みＴ以下である点が、第１の実施の形態の紙管３０及び紙管３０を使用したロール状シート１０と異なる。したがって、異なる箇所のみについて説明し、その他の共通する部分は同一符号を付して詳細な説明は省略する。
【００３３】
＜ロール状シート＞
まず、ロール状シート１０Ａの構成について説明する。
ロール状シート１０Ａは、例えば、ロール状キッチンペーパーである。
ロール状シート１０Ａは、例えば、図４に示すように、紙管３０Ａと、紙管３０Ａを芯として捲回されたシート２０Ａと、などを備えて構成される。
【００３４】
シート２０Ａは、例えば、キッチンペーパーである。
なお、シート２０Ａは、紙管３０Ａに捲回可能なシートであれば任意であり、例えば、トイレットペーパーやラップフィルム、アルミフォイルなどであっても良い。
【００３５】
＜紙管＞
紙管３０Ａは、例えば、図４及び図５（ａ）に示すように、略中空円筒形状をなしている。
具体的には、紙管３０Ａは、例えば、図５に示すように、原紙層４０と、消臭物質５１を含む消臭層５０Ａと、などを有している。
紙管３０Ａにおいては、例えば、紙管３０Ａの外側３２に消臭層５０Ａが配置されるとともに、紙管３０Ａの内面３１に原紙層４０が配置されるように、消臭層５０Ａが原紙層４０にラミネートされている。
【００３６】
消臭層５０Ａは、例えば、消臭物質５１Ａが混入された樹脂５２からなる層である。
消臭層５０Ａにおいては、例えば、図６に示すように、消臭物質５１の平均粒径（平均直径）Ｄが消臭層５０Ａの平均厚みＴ以下となるよう設定されている。
【００３７】
なお、図６は、消臭層５０Ａの構造を模式的に示す図であり、実際の消臭層５０Ａでは、消臭物質５１の粒径や消臭層５０Ａの厚みにばらつきがあり、また、消臭物質５１同士が重なる等、消臭物質５１の並びはランダムである。
消臭層５０Ａにおいては、「実際の平均厚み」が「理論上の平均厚み（消臭層５０Ａの平均厚みＴ）」の１．０〜１．２倍であるのが好ましい。
そして、消臭物質５１の平均粒径Ｄの上限は、「理論上の平均厚み」の１．０倍とするのが好ましい。なぜならば、キッチンペーパーはトイレットペーパーよりも、消臭物質５１が消臭層５０Ａから離脱しないことが望まれる為と、ロール状シート１０Ａを生産する際に、紙管３０Ａの表側（外面３２）が擦れて消臭物質５１が離脱することを防ぐ為である。
ここで、消臭物質５１の平均粒径Ｄが「理論上の平均厚み」以下であるにも関わらず、「実際の平均厚み」が「理論上の平均厚み」の１．０〜１．２倍であるのが好ましいとしたのは、消臭物質５１の並びがランダムであり、消臭層５０Ａの表面に凹凸ができることを考慮したためである。
【００３８】
以上説明した第２の実施の形態における紙管３０Ａ及び紙管３０Ａを使用したロール状シート１０Ａによれば、消臭物質５１の平均粒径Ｄは、消臭層５０Ａの平均厚みＴ以下であり、紙管３０Ａの外面３２が、消臭層５０Ａである。
したがって、紙管３０Ａの外面３２が消臭層５０Ａであり、消臭層５０Ａが露出しているため、消臭層５０Ａが外気と接触しやすく、臭い成分を効率よく消臭することができる。特に、紙管３０Ａの外面３２はシート２０Ａが捲回される面であるため、紙管３０Ａは、シート２０Ａを使用している間よりも、シート２０Ａを使用し終わった後の方が効率のよい消臭を行うことができる。すなわち、シート２０Ａを使用し終わった後、紙管３０Ａをゴミ箱等に捨てると、ゴミ箱等の中や周辺の消臭を効率よく行うことができるため、紙管３０Ａは、例えば、キッチン周り等の、ゴミ箱等の中や周辺の臭いが特に気になる場所で使用されるシート（キッチンペーパーやラップフィルム、アルミフォイルなど）が捲回される紙管として使用するとより効果的である。
【００３９】
また、消臭物質５１の平均粒径Ｄが消臭層５０Ａの平均厚みＴ以下であり、消臭物質５１が消臭層５０Ａの表面からほとんど露出していないため、消臭物質５１が消臭層の表面から露出している場合と比較して消臭物質５１が紙管３０Ａから離脱しにくい。加えて、シート２０Ａが捲回される面（外面３２）が消臭層５０Ａであるため、シート２０Ａの使用中における消臭物質５１の離脱をさらに抑えることができる。したがって、紙管３０Ａは、キッチン周り等で使用しても、消臭物質５１が紙管３０Ａから離脱して食品等に付着してしまう等の問題が生じにくいため、好適である。
無論、紙管３０Ａは、キッチン周り等で使用されるシート２０Ａ以外のシート（トイレットペーパーなど）が捲回される紙管として使用しても良い。
【００４０】
［第３の実施の形態］
次に、第３の実施の形態における紙管３０Ｂ及び紙管３０Ｂを使用したロール状シート１０Ｂについて説明する。
なお、第３の実施の形態の紙管３０Ｂ及び紙管３０Ｂを使用したロール状シート１０Ｂにおいては、紙管３０Ｂの内面３１及び外面３２が消臭層５０である点が、第１の実施の形態の紙管３０及び紙管３０を使用したロール状シート１０と異なる。したがって、異なる箇所のみについて説明し、その他の共通する部分は同一符号を付して詳細な説明は省略する。
【００４１】
＜ロール状シート＞
まず、ロール状シート１０Ｂの構成について説明する。
ロール状シート１０Ｂは、例えば、ロール状トイレットペーパーである。
ロール状シート１０Ｂは、例えば、図７に示すように、紙管３０Ｂと、紙管３０Ｂを芯として捲回されたシート２０と、などを備えて構成される。
【００４２】
＜紙管＞
紙管３０Ｂは、例えば、図７及び図８（ａ）に示すように、略中空円筒形状をなしている。
具体的には、紙管３０Ｂは、例えば、図８に示すように、原紙層４０と、消臭層５０，５０と、などを有している。
紙管３０Ｂにおいては、例えば、紙管３０Ｂの内面３１及び外面３２に消臭層５０，５０が配置されるとともに、消臭層５０，５０の間に原紙層４０が配置されるように、消臭層４０が原紙層５０にラミネートされている。
【００４３】
以上説明した第３の実施の形態における紙管３０Ｂ及び紙管３０Ｂを使用したロール状シート１０Ｂによれば、紙管３０Ｂの内面３１及び外面３２が消臭層５０であり、紙管３０Ｂにおける外気と接触する部分のほぼ全てが消臭層５０であるため、臭い成分を効率よく吸着することができる。
また、紙管３０Ｂの外面３２はシート２０が捲回される面であるため、外面３２の消臭層５０は、シート２０を使用している間よりも、シート２０を使用し終わった後の方が効率のよい消臭を行うことができるとともに、紙管３０Ｂの内面３１はシート２０が捲回された状態でも露出している面であるため、内面３１の消臭層５０は、シート２０を使用している間も、シート２０を使用し終わった後も、効率のよい消臭を行うことができる。
【００４４】
なお、第３の実施の形態においては、紙管３０Ｂの内面３１及び外面３２に消臭層５０，５０（消臭物質５１の平均粒径Ｄ＞消臭層５０の平均厚みＴ）が配置されるようにしたが、これに限ることはない。
具体的には、例えば、紙管３０Ｂの内面３１及び外面３２に消臭層５０Ａ（消臭物質５１の平均粒径Ｄ≦消臭層５０Ａの平均厚みＴ）が配置されても良いし、紙管３０Ｂの内面３１に消臭層５０（消臭物質５１の平均粒径Ｄ＞消臭層５０の平均厚みＴ）が配置されるとともに、外面３２に消臭層５０Ａ（消臭物質５１の平均粒径Ｄ≦消臭層５０Ａの平均厚みＴ）が配置されても良いし、紙管３０Ｂの内面３１の消臭層５０Ａ（消臭物質５１の平均粒径Ｄ≦消臭層５０Ａの平均厚みＴ）が配置されるとともに、外面３２に消臭層５０（消臭物質５１の平均粒径Ｄ＞消臭層５０の平均厚みＴ）が配置されても良い。
【００４５】
なお、本発明は、上記した実施の形態のものに限るものではなく、その要旨を逸脱しない範囲で適宜変更可能である。
【００４６】
第１〜第３の実施の形態において、紙管３０，３０Ａ，３０Ｂが、原紙層４０と消臭層５０，５０Ａとを有するのであれば、原紙層４０に対する消臭層５０，５０Ａが配置される位置は任意である。具体的には、例えば、内面３１及び外面３２に原紙層４０，４０が配置されるとともに、原紙層４０，４０の間に消臭層５０，５０Ａが配置されていても良い。
【符号の説明】
【００４７】
１０，１０Ａ，１０Ｂ  ロール状シート
２０，２０Ａ  シート
３０，３０Ａ，３０Ｂ  紙管
３１  紙管の内面
３２  紙管の外面
４０  原紙層
５０，５０Ａ  消臭層
５１  消臭物質
５２  樹脂
Ｄ  消臭物質の平均粒径
Ｔ  消臭層の平均厚み
【図１】
0005474170.tif 000002
【図２】
0005474170.tif 000003
【図３】
0005474170.tif 000004
【図４】
0005474170.tif 000005
【図５】
0005474170.tif 000006
【図６】
0005474170.tif 000007
【図７】
0005474170.tif 000008
【図８】
0005474170.tif 000009